【手続補正書】
【提出日】平成17年5月10日(2005.5.10)
【手続補正１】
【補正対象書類名】明細書
【補正対象項目名】特許請求の範囲
【補正方法】変更
【補正の内容】
【特許請求の範囲】
【請求項１】
ＡＦ評価値算出手段と映像信号処理手段とを有する撮像装置であって、
前記映像信号処理手段へは前記画素信号に間引き処理を施してから供給するようにし、前記ＡＦ評価値算出手段へは前記間引き処理を施す前の撮像素子から出力される画素信号を供給するようにしたことを特徴とする撮像装置。
【請求項２】
撮像素子と、
前記撮像素子から出力される画素信号をＡ／Ｄ変換するＡ／Ｄ変換手段と、
前記撮像素子から出力される画素信号に基づいて合焦状態を評価するＡＦ評価値算出手段と、
前記撮像素子から出力される画素信号を表示装置に表示させるための信号処理を施す映像信号処理手段と、
前記Ａ／Ｄ変換手段の出力を間引く画素信号間引き手段とを備え、
前記映像信号処理手段へは前記Ａ／Ｄ変換手段でデジタル化した画素信号を前記画素信号間引き手段で間引いてから供給するようにし、前記ＡＦ評価値算出手段へは前記Ａ／Ｄ変換手段の出力を前記画素信号間引き手段で間引く前に供給するようにしたことを特徴とする撮像装置。
【請求項３】
第１のクロック発生手段と第２のクロック発生手段とを備え、
前記第１のクロック発生手段によって発生するクロック信号によって前記撮像素子、Ａ／Ｄ変換手段及びＡＦ評価値算出手段を駆動し、前記第２のクロック発生手段によって前記映像信号処理手段を駆動するようにしたことを特徴とする請求項２に記載の撮像装置。
【請求項４】
前記第１のクロック発生手段によって発生するクロック信号より、前記第２のクロック発生手段によって発生するクロック信号の周波数が遅いことを特徴とする請求項３に記載の撮像装置。
【請求項５】
前記第１のクロック発生手段によって発生するクロック信号より、前記映像信号処理手段へ入力される画素信号のレートが低いことを特徴とする請求項３または請求項４に記載の撮像装置。
【請求項６】
ＡＦ評価値算出工程と映像信号処理工程とを有する撮像方法であって、
前記映像信号処理工程へは前記画素信号に間引き処理を施してから供給するようにし、前記ＡＦ評価値算出工程へは前記間引き処理を施す前の撮像素子から出力される画素信号を供給するようにしたことを特徴とする撮像方法。
【請求項７】
撮像素子から出力される画素信号をＡ／Ｄ変換するＡ／Ｄ変換工程と、
前記撮像素子から出力される画素信号に基づいて合焦状態を評価するＡＦ評価値算出工程と、
前記撮像素子から出力される画素信号を表示装置に表示させるための信号処理を施す映像信号処理工程と、
前記Ａ／Ｄ変換工程の出力を間引く画素信号間引き工程とを有し、
前記映像信号処理工程へは前記Ａ／Ｄ変換工程でデジタル化した画素信号を前記画素信号間引き工程で間引いてから供給するようにし、前記ＡＦ評価値算出工程へは前記Ａ／Ｄ変換工程の出力を前記画素信号間引き工程で間引く前に供給するようにしたことを特徴とする撮像方法。
【請求項８】
第１のクロック発生工程と第２のクロック発生工程を備え、
前記第１のクロック発生工程によって発生するクロック信号によって前記撮像素子、Ａ／Ｄ変換工程におけるＡ／Ｄ変換手段及びＡＦ評価値算出工程におけるＡＦ評価値算出手段を駆動し、前記第７のクロック発生工程によって前記映像信号処理工程における映像信号処理手段を駆動するようにしたことを特徴とする請求項７に記載の撮像方法。
【請求項９】
前記第１のクロック発生工程によって発生するクロック信号より、前記第２のクロック発生工程によって発生するクロック信号の周波数が遅いことを特徴とする請求項８に記載の撮像方法。
【請求項１０】
前記第１のクロック発生工程によって発生するクロック信号より、前記映像信号処理工程へ入力される画素信号のレートが低いことを特徴とする請求項８または請求項９に記載の撮像方法。
【手続補正２】
【補正対象書類名】明細書
【補正対象項目名】０００６
【補正方法】変更
【補正の内容】
【０００６】
【課題を解決するための手段】
本発明の撮像装置は、ＡＦ評価値算出手段と映像信号処理手段とを有する撮像装置であって、前記映像信号処理手段へは前記画素信号に間引き処理を施してから供給するようにし、前記ＡＦ評価値算出手段へは前記間引き処理を施す前の撮像素子から出力される画素信号を供給するようにしたことを特徴とする。
また、本発明の他の特徴とするところは、撮像素子と、前記撮像素子から出力される画素信号をＡ／Ｄ変換するＡ／Ｄ変換手段と、前記撮像素子から出力される画素信号に基づいて合焦状態を評価するＡＦ評価値算出手段と、前記撮像素子から出力される画素信号を表示装置に表示させるための信号処理を施す映像信号処理手段と、前記Ａ／Ｄ変換手段の出力を間引く画素信号間引き手段とを備え、前記映像信号処理手段へは前記Ａ／Ｄ変換手段でデジタル化した画素信号を前記画素信号間引き手段で間引いてから供給するようにし、前記ＡＦ評価値算出手段へは前記Ａ／Ｄ変換手段の出力を前記画素信号間引き手段で間引く前に供給するようにしたことを特徴とする。
また、本発明のその他の特徴とするところは、第１のクロック発生手段と第２のクロック発生手段とを備え、前記第１のクロック発生手段によって発生するクロック信号によって前記撮像素子、Ａ／Ｄ変換手段及びＡＦ評価値算出手段を駆動し、前記第２のクロック発生手段によって前記映像信号処理手段を駆動するようにしたことを特徴とする。
また、本発明のその他の特徴とするところは、前記第１のクロック発生手段によって発生するクロック信号より、前記第２のクロック発生手段によって発生するクロック信号の周波数が遅いことを特徴とする。
また、本発明のその他の特徴とするところは、前記第１のクロック発生手段によって発生するクロック信号より、前記映像信号処理手段へ入力される画素信号のレートが低いことを特徴とする。
【手続補正３】
【補正対象書類名】明細書
【補正対象項目名】０００７
【補正方法】変更
【補正の内容】
【０００７】
本発明の撮像方法は、ＡＦ評価値算出工程と映像信号処理工程とを有する撮像方法であって、前記映像信号処理工程へは前記画素信号に間引き処理を施してから供給するようにし、前記ＡＦ評価値算出工程へは前記間引き処理を施す前の撮像素子から出力される画素信号を供給するようにしたことを特徴とする。
また、本発明の他の特徴とするところは、撮像素子から出力される画素信号をＡ／Ｄ変換するＡ／Ｄ変換工程と、前記撮像素子から出力される画素信号に基づいて合焦状態を評価するＡＦ評価値算出工程と、前記撮像素子から出力される画素信号を表示装置に表示させるための信号処理を施す映像信号処理工程と、前記Ａ／Ｄ変換工程の出力を間引く画素信号間引き工程とを有し、前記映像信号処理工程へは前記Ａ／Ｄ変換工程でデジタル化した画素信号を前記画素信号間引き工程で間引いてから供給するようにし、前記ＡＦ評価値算出工程へは前記Ａ／Ｄ変換工程の出力を前記画素信号間引き工程で間引く前に供給するようにしたことを特徴とする。
また、本発明のその他の特徴とするところは、第１のクロック発生工程と第２のクロック発生工程を備え、前記第１のクロック発生工程によって発生するクロック信号によって前記撮像素子、Ａ／Ｄ変換工程におけるＡ／Ｄ変換手段及びＡＦ評価値算出工程におけるＡＦ評価値算出手段を駆動し、前記第７のクロック発生工程によって前記映像信号処理工程における映像信号処理手段を駆動するようにしたことを特徴とする。
また、本発明のその他の特徴とするところは、前記第１のクロック発生工程によって発生するクロック信号より、前記第２のクロック発生工程によって発生するクロック信号の周波数が遅いことを特徴とする。
また、本発明のその他の特徴とするところは、前記第１のクロック発生工程によって発生するクロック信号より、前記映像信号処理工程へ入力される画素信号のレートが低いことを特徴とする。
【手続補正４】
【補正対象書類名】明細書
【補正対象項目名】００３５
【補正方法】変更
【補正の内容】
【００３５】
【発明の効果】
以上説明してきたように、本発明によれば、合焦の評価値を演算する際には間引き処理を施す前の撮像素子から出力される画素信号を利用するようにしたので、良好な合焦精度を確保することができる。また、映像信号を作成する際には、間引き処理を施した画素信号を利用して信号処理を行うようにしたので、これにより信号処理回路の動作クロックを低下させることにより撮像装置の電源の寿命を大幅に長くすることができる。